(57)【特許請求の範囲】
【請求項１】
開口が設けられた本体と、
前記開口を開閉可能に覆うパネルと、
前記本体の内部に設けられ、室外および室内の一方から他方に向かう第１の気流を生成させる第１のファンと、
前記パネルが閉じた状態において前記パネルと前記第１のファンとの間に設けられ、前記第１の気流を通過させる通過口が形成され、前記通過口を前記開口側に向けて配置されたファンケーシングと、
前記本体の内部に設けられ、前記室外および前記室内の他方から一方に向かう第２の気流を生成させる第２のファンと、
前記第１の気流と前記第２の気流との間で熱交換させる熱交換器と、
前記通過口を覆う覆い部と、を備え、
前記覆い部は、
前記通過口に対向する円板部と、
前記円板部と同心円状に形成され、前記ファンケーシングの近くに設けられるほど外径が大きくなる複数の環状枠と、
前記円板部の外周縁から延びて前記複数の環状枠を連結させる連結部と、を有し、
前記ファンケーシングには、前記通過口の縁にベルマウスが設けられており、
前記ベルマウスは、前記円板部に向けた凸形状であり、
前記円板部の前記通過口と対向する対向面と平行に見て前記ベルマウスと重なる環状枠のうち、最も円板部側に設けられた環状枠は、前記円板部側の端面が前記ベルマウスの頂部よりも前記円板部側に位置することを特徴とする熱交換換気装置。
【請求項２】
前記円板部の前記対向面にはリブが形成されていることを特徴とする請求項１に記載の熱交換換気装置。
【請求項３】
前記第１のファンは、回転軸を中心に回転するシロッコファンを有し、
前記リブは、前記回転軸と平行に見た場合に前記回転軸を避けた位置に形成されていることを特徴とする請求項２に記載の熱交換換気装置。
【発明の詳細な説明】
【技術分野】
【０００１】
本発明は、給気流と排気流との間で熱交換を行いながら換気を行う熱交換換気装置に関する。
【背景技術】
【０００２】
熱交換換気装置では、本体の内部に設けられた熱交換器で、給気流と排気流との間で熱交換させながら換気が行われる。このような熱交換換気装置には、特許文献１に示すように、壁に取り付けられて用いられる、いわゆる壁掛取付形の熱交換換気装置がある。
【先行技術文献】
【特許文献】
【０００３】
【特許文献１】特許第４５２７０７１号公報
【発明の概要】
【発明が解決しようとする課題】
【０００４】
壁掛取付形の熱交換換気装置では、前面が開閉可能なパネルで覆われており、パネルを開くことで本体の内部に設けられた熱交換器およびファンへのアクセスが可能となる。ここで、熱交換換気装置が運転状態のままパネルが開かれた場合に、ユーザーの体の一部または異物がファンに触れてファンが破損するおそれがあった。【０００５】
本発明は、上記に鑑みてなされたものであって、ファンへの不意の接触を抑えて、ファンの破損を防ぐことのできる熱交換換気装置を得ることを目的とする。
【課題を解決するための手段】
【０００６】
上述した課題を解決し、目的を達成するために、本発明にかかる熱交換換気装置は、開口が設けられた本体と、開口を開閉可能に覆うパネルと、本体の内部に設けられ、室外および室内の一方から他方に向かう第１の気流を生成させる第１のファンと、パネルが閉じた状態においてパネルと第１のファンとの間に設けられ、第１の気流を通過させる通過口が形成され、通過口を開口側に向けて配置されたファンケーシングと、本体の内部に設けられ、室外および室内の他方から一方に向かう第２の気流を生成させる第２のファンと、第１の気流と第２の気流との間で熱交換させる熱交換器と、通過口を覆う覆い部と、を備える。覆い部は、通過口に対向する円板部と、円板部と同心円状に形成され、ファンケーシングの近くに設けられるほど外径が大きくなる複数の環状枠と、円板部の外周縁から延びて複数の環状枠を連結させる連結部とを有する。
【発明の効果】
【０００７】
本発明にかかる熱交換換気装置は、ファンへの不意の接触を抑えて、ファンの破損を防ぐことができるという効果を奏する。
【図面の簡単な説明】
【０００８】
【図１】本発明の実施の形態１にかかる熱交換換気装置の概略構成を模式的に示す図
【図２】実施の形態１にかかる熱交換換気装置の斜視図
【図３】実施の形態１にかかる熱交換換気装置の斜視図であって、パネルを外した状態を示す図
【図４】実施の形態１にかかる熱交換換気装置を回転軸に沿った平面で切断した断面図
【図５】実施の形態１における排気用ファンケーシング部分を拡大した部分拡大断面斜視図
【図６】実施の形態１における熱交換換気装置を示す分解斜視図であって、覆い部を外した状態を示す図
【図７】実施の形態１における覆い部の斜視図
【図８】実施の形態１における覆い部を対向面側から見た斜視図
【図９】実施の形態１における覆い部とベルマウスとの関係を示すための模式図
【図１０】比較例として示すベルマウスと覆い部との関係を示すための模式図
【発明を実施するための形態】
【０００９】
以下に、本発明の実施の形態にかかる熱交換換気装置を図面に基づいて詳細に説明する。なお、この実施の形態によりこの発明が限定されるものではない。
【００１０】
実施の形態１．
図１は、本発明の実施の形態１にかかる熱交換換気装置の概略構成を模式的に示す図である。図２は、実施の形態１にかかる熱交換換気装置の斜視図である。本実施の形態１にかかる熱交換換気装置１００は、建物の壁４５の室内側に取り付けて用いられる壁掛取付形の熱交換換気装置１００である。熱交換換気装置１００は、壁４５に固定される本体１を備える。なお、以下の説明において、本体１に対して壁４５側方向を後方とし、その反対側方向を前方とする。
【００１１】
本体１のうち壁４５と対向する後面には、室外空気吸込口３１と室内空気排出口３２が形成されている。室外空気吸込口３１と室内空気排出口３２とは、互いに隣接するように本体１に形成されており、本体１の後面には、室外空気吸込口３１と室内空気排出口３２を覆うパイプ１３が設けられている。
【００１２】
パイプ１３の内側には、仕切板１３ａが設けられており、室外空気吸込口３１を通過する気流と室内空気排出口３２を通過する気流とが、パイプ１３内で混合することを防いでいる。パイプ１３は、壁４５に形成された開口４５ａに差し込まれる。壁４５の室外側には、図示を省略したフードが取り付けられる。
【００１３】
本体１の前面には開口１ａが形成されている。熱交換換気装置１００は、開口１ａを開閉可能に覆うパネル２を備える。パネル２には、室外空気吹出口３３と、室内空気吸込口３４とが形成されている。なお、室外空気吹出口３３および室内空気吸込口３４の両方またはいずれか一方が本体１に形成されていてもよい。
【００１４】
本体１およびパネル２に囲まれた空間には、室外空気吸込口３１と室外空気吹出口３３とを結ぶ給気風路２１が形成される。また、本体１およびパネル２に囲まれた空間には、室内空気吸込口３４と室内空気排出口３２とを結ぶ排気風路２０が形成される。
【００１５】
本体１およびパネル２に囲まれた空間には、給気風路２１と排気風路２０とが交差する部分が設けられている。熱交換換気装置１００は、給気風路２１と排気風路２０とが交差する部分に設けられた熱交換器１５を備える。熱交換器１５は、給気風路２１を通過する気流と排気風路２０を通過する気流との間で熱交換を行わせる。
【００１６】
排気風路２０には、第１のファンである排気用ファン８が設けられている。排気用ファン８は、回転軸８ａと、排気用モータ８ｂと、排気用シロッコファン８ｃとを備える。回転軸８ａは、前後に延びる軸である。排気用シロッコファン８ｃは、回転軸８ａを中心に回転する多翼ファンである。排気用シロッコファン８ｃは、排気用モータ８ｂの回転が回転軸８ａによって排気用シロッコファン８ｃに伝えられることで回転する。排気用シロッコファン８ｃが回転すると、排気風路２０において室内空気吸込口３４から室内空気排出口３２に向かう第１の気流である排気流が発生する。すなわち、排気用シロッコファン８ｃが回転すると、室内から室外に向かう気流が発生する。
【００１７】
熱交換換気装置１００は、パネル２が閉じた状態においてパネル２と排気用ファン８との間に設けられた排気用ファンケーシング４を備える。排気用ファンケーシング４には、排気流を通過させる排気用通過口４ａが形成されている。排気用ファンケーシング４は、排気用通過口５ａを本体１の開口１ａ側に向けて設けられる。排気用通過口４ａの縁には、ベルマウス４ｂが設けられている。ベルマウス４ｂは、排気用ファン８よりも上流側で排気流を整流させることで騒音の発生を抑制する。熱交換換気装置１００は、排気用通過口４ａを覆う覆い部３５を備える。ベルマウス４ｂおよび覆い部３５の構成については後に詳説する。
【００１８】
給気風路２１には、第２のファンである給気用ファン９が設けられている。給気用ファン９は、回転軸９ａと、給気用モータ９ｂと、給気用シロッコファン９ｃとを備える。回転軸９ａは、前後に延びる軸である。給気用シロッコファン９ｃは、回転軸９ａを中心に回転する多翼ファンである。給気用シロッコファン９ｃは、給気用モータ９ｂの回転が回転軸９ａによって給気用シロッコファン９ｃに伝えられることで回転する。給気用シロッコファン９ｃが回転すると、給気風路２１において室外空気吸込口３１から室外空気吹出口３３に向かう第２の気流である給気流が発生する。すなわち、給気用シロッコファン９ｃが回転すると、室外から室内に向かう気流が発生する。なお、本実施の形態１では、モータの本体から互いに反対方向に突出するとともに同期して回転する２つの出力軸をそれぞれ回転軸８ａ，９ｂとすることで、１つのモータに排気用モータ８ｂの機能と給気用モータ９ｂの機能とを持たせている。また、排気用モータ８ｂと給気用モータ９ｂとを別々に設けても構わない。
【００１９】
熱交換換気装置１００は、本体１の後面と給気用ファン９との間に設けられた給気用ファンケーシング５を備える。給気用ファンケーシング５には、給気流を通過させる給気用通過口４ａが形成されている。給気用ファンケーシング５は、給気用通過口５ａを本体１の後面側に向けて設けられる。給気用通過口５ａの縁には、ベルマウス５ｂが設けられている。ベルマウス５ｂは、給気用ファン９よりも上流側で給気流を整流させることで騒音の発生を抑制する。
【００２０】
以上説明した熱交換換気装置１００によれば、排気用ファン８と給気用ファン９とを運転させることで、排気風路２０を通して室内の空気を室外に排気し、給気風路２１を通して室外の空気を室内に給気することができる。また、熱交換器１５で給気流と排気流との間で熱交換させるので、室内の空調負荷を低減して、省エネルギー化に寄与することができる。
【００２１】
次に、排気用ファンケーシング４に設けられたベルマウス４ｂと、覆い部３５の構成について詳細に説明する。図３は、実施の形態１にかかる熱交換換気装置１００の斜視図であって、パネル２を外した状態を示す図である。図４は、実施の形態１にかかる熱交換換気装置１００を回転軸８ａ，９ａに沿った平面で切断した断面図である。図５は、実施の形態１における排気用ファンケーシング４部分を拡大した部分拡大断面斜視図である。図６は、実施の形態１における熱交換換気装置１００を示す分解斜視図であって、覆い部３５を外した状態を示す図である。図７は、実施の形態１における覆い部３５の斜視図である。図８は、実施の形態１における覆い部３５を対向面側から見た斜視図である。
【００２２】
図７に示すように、覆い部３５は、円板部３６と、複数の環状枠３７と、連結部３８とを有する。円板部３６は、円形形状の板部材であり、排気用ファンケーシング４に形成された排気用通過口４ａに対向する。ここでいう円形形状には、真円形状に限られず略円形形状も含まれる。複数の環状枠３７は、円板部３６と同心円状に形成され、排気用ファンケーシング４の近くに設けられる環状枠３７ほど外径が大きくなっている。また、複数の環状枠３７は、前後方向に互いに間隔を空けて設けられている。連結部３８は、円板部３６の外周縁から放射状に延びて円板部３６と複数の環状枠３７とを連結させる。覆い部３５には、排気用ファンケーシング４にねじで固定するための穴４０が設けられている。覆い部３５は、他の部品を組み立てるねじとの共締めによって固定される。これにより、部品点数の削減を図ることができる。
【００２３】
図８に示すように、円板部３６のうち排気用通過口４ａと対向する対向面３６ａにはリブ３９が形成されている。リブ３９は、排気用ファン８の回転軸８ａと平行に見た場合に、回転軸８ａを避けた位置に形成されている。なお、以下の説明において、排気用ファン８の回転軸８ａと平行に見ることを単に正面視ともいう。本実施の形態１では、リブ３９は、回転軸８ａを中心とする円環形状の環状リブ３９ａと、環状リブ３９ａから放射状に延びる放射状リブ３９ｂとを有する。リブ３９が形成されることで、円板部３６の強度が向上し変形しにくくなる。したがって、円板部３６に外力が加わった場合に、円板部３６が変形して回転軸８ａに接触しにくくなる。また、リブ３９は、回転軸８ａと平行に見た正面視において回転軸８ａを避けた位置に形成されているので、円板部３６に対して前方から外力が加えられて円板部３６が変形した場合に、リブ３９が回転軸８ａに接触しにくくなっている。
【００２４】
ベルマウス４ｂは、図４に示すように、円板部３６に向けた凸形状となっている。図９は、実施の形態１における覆い部３５とベルマウス４ｂとの関係を示すための模式図である。図９に示すように、円板部３６の対向面３６ａと平行に見てベルマウス４ｂと重なる環状枠３７ａは、円板部３６側の端面がベルマウス４ｂの頂部よりも前後方向において円板部３６側に位置する。なお、以下の説明では、円板部３６の対向面３６ａと平行に見ることを単に側面視ともいう。
【００２５】
図９では、側面視においてベルマウス４ｂと重なる環状枠３７を環状枠３７ａと示し、側面視においてベルマウス４ｂと重ならない環状枠３７を環状枠３７ｂと示している。環状枠３７ａには、環状枠３７ｂよりも前後方向の厚さが厚くなるように、環状突部４１が設けられている。これにより、環状枠３７ａは、円板部３６側の端面がベルマウス４ｂの頂部よりも円板部３６側に位置するようになっている。なお、環状突部４１を設けずに、円板部３６側の端面がベルマウス４ｂの頂部よりも円板部３６側に位置するのであれば、環状突部４１を設けなくてもよい。
【００２６】
図１０は、比較例として示すベルマウスと覆い部との関係を示すための模式図である。比較例として示す覆い部１３５では、側面視においてベルマウス４ｂと重なる環状枠１３７ａの円板部１３６側の端部が、ベルマウス４ｂの頂部よりも円板部１３６側に位置していない。そのため、側面視においてベルマウス４ｂと重ならない環状枠１３７ｂと、側面視においてベルマウス４ｂと重ならない環状枠１３７ｂとの隙間から異物４２が挿入されて、環状枠１３７ａとベルマウス４ｂとに異物４２が接触した状態において、異物４２と環状枠１３７ａとの間に隙間が存在する。したがって、環状枠１３７ｂが矢印Ｙに示す方向に移動するように、覆い部１３５が変形するおそれがある。この場合、異物４２がさらに侵入して排気用ファン８に接触してしまう可能性がある。
【００２７】
一方、実施の形態１における覆い部３５によれば、図９に示すように、環状枠３７ａと環状枠３７ｂとの間に挿入された異物４２が環状枠３７ａとベルマウス４ｂとに接触した状態において、環状枠３７ａと異物４２との間には隙間がほとんどない。そのため、環状枠３７ｂが矢印Ｘに示す方向に移動するように覆い部３５が変形しようとしても、環状枠３７ｂが異物４２に当接して、それ以上の変形が抑制される。これにより、異物４２のさらなる侵入を防ぐことができる。したがって、異物４２が排気用ファン８に接触しにくくなる。このように、覆い部３５を設けることで排気用ファン８への接触の抑制を図るだけでなく、環状枠３７ａを上記構成とすることで、より確実に排気用ファン８への接触の抑制を図ることができる。排気用ファン８の運転中に排気用ファン８に異物４２が接触した場合に排気用ファン８が破損しやすい。使用者が熱交換換気装置１００を停止させずにパネル２を開けてしまった場合であっても、異物４２が排気用ファン８に接触しにくいため、排気用ファン８が破損することが抑えられる。
【００２８】
なお、図９に示す例では、側面視においてベルマウス４ｂと重なる環状枠３７ａが１つだけ設けられているが、環状枠３７ａが２つ以上設けられてもよい。この場合には、環状枠３７ａのうち最も円板部３６側に設けられる環状枠３７ａの円板部３６側の端面がベルマウス４ｂの頂部よりも円板部３６側に位置すればよい。
【００２９】
また、本実施の形態１では、前方に設けられて第１の気流を発生させる第１のファンが排気流を発生させる排気用ファン８であり、後方に設けられて第２の気流を発生させる第２のファンが給気流を発生させる給気用ファン９である例を説明したが、この例には限られない。すなわち、前方に設けられて第１の気流を発生させる第１のファンが給気流を発生させる給気用ファン９であり、後方に設けられて第２の気流を発生させる第２のファンが排気流を発生させる排気用ファン８となるように、本体１内に給気風路および排気風路が形成されていてもよい。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  本体、１ａ  開口、２  パネル、４  排気用ファンケーシング、４ａ  排気用通過口、４ｂ  ベルマウス、５  給気用ファンケーシング、５ａ  給気用通過口、５ｂ  ベルマウス、８  排気用ファン、８ａ  回転軸、８ｂ  排気用モータ、８ｃ  排気用シロッコファン、９  給気用ファン、９ａ  回転軸、９ｂ  給気用モータ、９ｃ  給気用シロッコファン、１３  パイプ、１３ａ  仕切板、１５  熱交換器、２０  排気風路、２１  給気風路、３１  室外空気吸込口、３２  室内空気排出口、３３  室外空気吹出口、３４  室内空気吸込口、３５  覆い部、３６  円板部、３６ａ  対向面、３７，３７ａ，３７ｂ  環状枠、３８  連結部、３９  リブ、３９ａ  環状リブ、３９ｂ  放射状リブ、４０  穴、４１  環状突部、４２  異物、４５  壁、４５ａ  開口、１００  熱交換換気装置、１３５  覆い部、１３６  円板部、１３７ａ，１３７ｂ  環状枠。
【図１】
0006584685.tif 000002
【図２】
0006584685.tif 000003
【図３】
0006584685.tif 000004
【図４】
0006584685.tif 000005
【図５】
0006584685.tif 000006
【図６】
0006584685.tif 000007
【図７】
0006584685.tif 000008
【図８】
0006584685.tif 000009
【図９】
0006584685.tif 000010
【図１０】
0006584685.tif 000011